(57)【要約】      （修正有）【課題】屋内に設置された状態で使用され、地震、津波、洪水等の緊急事態発生時には１人から３人程度の少人数の人間を収容して避難でき、津波、洪水等による家屋の浸水時に避難状態で水面に浮力で浮遊可能であり、平常時にも有効活用が可能な屋内設置型木質系浮遊式シェルターを提供する。【解決手段】屋内設置型木質系浮遊式シェルターは、シェルター本体１０を含み、シェルター本体１０は、少人数の人間を収容した状態で水面に浮遊可能な主として木質系材料から形成された中空箱状であり、少なくとも１側面には防水構造を有する外開き扉１２を設けるとともに上面には空気出入口１３を設ける。【選択図】図１
0003234618.tif 000002
【実用新案登録請求の範囲】
【請求項１】
人間を収容した状態で水面に浮遊可能な主として木質系材料から形成された中空箱状のシェルター本体の少なくとも１側面には防水構造を有する外開き扉を設けるとともに上面には空気出入口を設けてなり、屋内に設置された状態で使用されることを特徴とする屋内設置型木質系浮遊式シェルター。
【請求項２】
請求項１において、前記シェルター本体の外周面部に閉ループ状の上下動ガイド用部材が取り付けられていることを特徴とする屋内設置型木質系浮遊式シェルター。
【請求項３】
請求項１において、前記シェルター本体の外面部に本体吊り上げ／吊り下げ用のリング状部材が複数個取り付けられており、このリング状部材が前記上下動ガイド用部材を兼ねていることを特徴とする屋内設置型木質系浮遊式シェルター。
【考案の詳細な説明】
【技術分野】
【０００１】  本考案は、水面に浮力で浮遊可能な少人数向けの屋内設置型木質系浮遊式シェルターに関するものである。
【背景技術】
【０００２】  従来、地震災害対策については、建物の一部に耐震補強工事を施して建物内の一部をシェルター化するもの、建物の地下に堅固な地下室を設置してシェルター化するもの、建物外にシェルターを設置するもの、建物内部に堅固な骨組を有するシェルターを設置するもの（特許文献１、特許文献２）などが見受けられる。
【先行技術文献】
【特許文献】
【０００３】
【特許文献１】特開２００９−０９１８０２号  公報
【特許文献２】実用新案登録第３１４１９６４号  公報
【考案の開示】
【考案が解決しようとする課題】
【０００４】建物の一部に耐震補強工事を施して建物内の一部をシェルター化するもの、建物の地下室のシェルターは、地震には強くても、１０メートルを超える津波とか、台風、豪雨等による洪水発生時の浸水に対して水没する。建物外に設置しているシェルターは、地震等の緊急事態発生後、建物から避難をして設置場所まで出向かなければならず、特に、夜間時、身体の不調時、幼児、要介護者、要支援者等の災害弱者には深刻な問題である。【０００５】  また、建物内部に堅固な従来のシェルター本体を設置固定しているものは、津波とか洪水発生時の浸水に対して安全ではない。したがって、これらの問題を解決する比較的簡単に実現可能な少人数向けの屋内設置型シェルターを提供することを課題とする。
【課題を解決するための手段】
【０００６】    本考案は、少人数の人間を収容した状態で水面に浮遊可能な主として木質系材料から形成された中空箱状のシェルター本体の少なくとも１側面には防水構造を有する外開き扉を設けるとともに上面には空気出入口を設けてなり、屋内に設置された状態で使用されることを特徴とする屋内設置型木質系浮遊式シェルターを提供するものである。
【考案の効果】
【０００７】  本考案の屋内設置型木質系浮遊式シェルターによれば、屋内のたとえば床面上に設置された状態で地震、津波、洪水等の緊急事態発生時に、少人数の人間を収容して退避でき、地震時の落下・倒壊物から避難でき、家屋の浸水時に避難状態で水面に浮力で浮遊可能であり、平常時には休憩等の有効活用が可能になり、実用性に優れている。さらに、全体の耐火性を高めた耐火構造とすることで、地震時の火災発生から避難することが可能になる。【０００８】  また、本考案の浮遊式シェルターによれば、シェルター本体の外周面部に閉ループ状の上下動ガイド用部材を取り付けることも可能であり、このガイド用部材の閉ループ部分にシェルター本体外部で上下方向に配置されるロープまたはレール等が緩やかに貫通した状態で屋内のたとえば吹き抜け構造部の床面上に設置することで、家屋の浸水時にシェルターが吹き抜け構造部内で上方へ浮上して水面に浮遊状態になり、避難することが可能になる。【０００９】  また、本考案の浮遊式シェルターによれば、シェルター本体の外面部に本体吊り上げ／吊り下げ用の堅固なリング状部材を複数個取り付けることも可能であり、外部上方から垂下されるロープ等をリング状部材に連結した状態で設置することで、家屋の浸水時にシェルターが浮上して水面に浮遊状態になり、避難することが可能になる。
【考案を実施するための最良の形態】
【００１０】  次に、本考案を実施するための最良の形態について、実施例にしたがって説明する。
【実施例】
【００１１】  図１および図２（ａ），（ｂ）は、本考案の屋内設置型木質系浮遊式シェルターの一実施例を示しており、１０は主として木質系材料から堅固に形成され、１人から３人程度の少人数の人間を収容した状態で水面に浮遊可能な防水構造を有する中空箱状のシェルター本体である。このシェルター本体１０の少なくとも１面（たとえば１側面１１）には少なくとも１人が出入可能な防水構造を有する外開き扉１２が設けられており、シェルター本体１０の上面には空気出入口１３が設けられている。【００１２】  本例では、本体１０は、木材、木質系のボード・パネル、合板、集成材等の木質系材料を組み合せて各部材が垂直に交わる箇所をＬ字金物等で連結固定して縦長直方体の箱状に堅固に形成されている。【００１３】  なお、本体１０の耐震性、耐荷重性、耐水性の強化を施すことが望ましく、さらには、地震火災、津波火災、通常の火災等の発生が考えられる箇所に設置する場合には、不燃性能を備えた耐火レンガ、耐火タイル等の耐材料を外壁全面に施すことことで外壁耐火構造とすることが望ましい。【００１４】  前記空気出入口１３は、本体上方へ筒状に突出し、少なくとも筒側面部に通気口を有する構造が望ましい。空気出入口１３には防虫用ネットとかシャッターを付設することも可能である。【００１５】  また、本体１０の外面の一部には、本体内へ外部の明りを取り込む構造が採用されており、たとえば本体上面の少なくとも一部を透明あるいは半透明の強化板材により形成することが可能である。本例では、外開き扉１２の一部に、強化ガラスとか多層構造の合成樹脂製の透明あるいは半透明の強化板材により形成された明り取り窓１４が本体全面より若干凹没した状態で設けられている。【００１６】  本考案の浮遊式シェルターは家屋内に設置されるもので、設置場所としては、寝室、居間、玄関の床面上のほか、吹き抜け構造部があればその床面上を任意に選択すればよい。【００１７】  さらに、本体１０の外周面部に閉ループ状（閉ループの一部に間隙があってもよい）の上下動ガイド用部材２２を取り付けることも可能である。これにより、ガイド用部材２２の閉ループ部分に、シェルター本体外部で上下方向の両端部が固定された状態で配置されるロープ、レール等３１が緩やかに貫通した状態で屋内のたとえば吹き抜け構造部の床面上に設置することが可能になる。【００１８】  さらに、本体１０の外面部には本体吊り上げ／吊り下げ用の堅固なリング状部材２１を複数個取り付けることも可能である。これにより、外部上方から垂下されるロープ等をリング状部材２１に連結した状態で設置することが可能になる。【００１９】  本考案の浮遊式シェルターによれば、地震、津波、洪水等の緊急事態発生時に１人から３人程度の少人数を収容した状態で避難でき、落下・倒壊物から避難でき。また、シェルター本体は床面等に固定されない状態で設置されているので、津波、洪水等による家屋の浸水時には水面に浮力で浮遊した状態で避難でき、平常時には休憩室、簡易トイレ室トイレ等として有効活用が可能になり、実用性に優れている。本体１０内へ人間を収容して外開き扉１２を閉じても、本体内部と外部との間で空気出入口１３を通して空気の出入りが可能である。【００２０】  本実施例のシェルターを屋内に設置する場合、屋内の床面から天井面までの高さが約２５０ｃｍ、本体の高さを約２００ｃｍとすれば、本体内へ人間を収容した後に外開き扉１２を閉じた状態でたとえば約２００ｃｍ浸水した場合でも、空気出入口１３の筒状部の上端面が本体上方の天井面等に対面接触して本体が約５０ｃｍ浮上した状態になり、本体上面と天井面等との間に空間が存在する状態になり、この空間に滞留あるいは流通している空気が本体上面の空気出入口１３を通して出入りが可能になる。【００２１】  なお、本体１０内に、食料備蓄品、ガスコンロ、医薬品備蓄、寝具、什器等、椅子としても機能する蓋付き簡易トイレ、簡易浄化水器、照明等の各種機器電源用蓄電池、簡易発電機等を選択的に搬入しておけば、避難状態において数日間程度の生存可能性を高めるだけではなく、自力救済に役立つ。本体内への搬入物を重心位置が本体底面付近となるように配設しておけば、本体が浮上した状態でも安定な姿勢を保持することが可能である。【００２２】  さらに、本実施例の浮遊式シェルターは、屋内のたとえば吹き抜け構造部の床面上に設置する場合を想定した場合に好ましいように、シェルター本体１０の外周面部に閉ループ状の上下動ガイド用部材２２を複数個（本例では上下一対）取り付けている。本例では、たとえばコ字状の部材の両端を本体外面部に固定している。【００２３】  このガイド用部材２２の閉ループ部分に、シェルター本体外部で上下方向の両端部が固定された状態で配置されるロープ、レール３１等の長尺棒状部材が緩やかに貫通した状態で屋内のたとえば吹き抜け構造部の床面上に設置しておけば、家屋の浸水時に本体１０が吹き抜け構造部の空間内で上方へ浮上するようにロープ、レール３１等に沿って案内され、避難することが可能になる。また、外部上方から垂下されるロープ等をガイド用部材２２に連結した状態で設置することも可能である。なお、ガイド用部材２２にロープ、レール３１等を貫通させて配置していない状態やガイド用部材２２にロープ等を連結していない状態で、シェルター本体１０が津波等の力に逆らわずに流されても浮力で水面に浮くことが可能になる。【００２４】  さらに、本実施例の浮遊式シェルターは、シェルター本体１０の外面部に本体吊り上げ／吊り下げ用の堅固なリング状部材２１を複数個取り付けているので、シェルター本体１０を組立状態で運搬・設置する場合に機械のフック等を引っ掛けてシェルター本体１０を吊り上げ／吊り下げることが可能となる。なお、外部上方から垂下されるロープ等をリング状部材２１に連結した状態で設置することが可能であり、リング状部材２１を前記ガイド用部材２２と兼ねることも可能である。
【図面の簡単な説明】
【００２５】
【図１】本考案の屋内設置型木質系浮遊式シェルターの一実施例を示す斜視図である。
【図２】本考案の屋内設置型木質系浮遊式シェルターの他の実施例を示す正面図および右側面図である。
【符号の説明】
【００２６】１０    シェルター本体
１１    本体側面
１２    外開き扉
１３    空気出入口
１４    明り取り窓
２１    リング状部材
２２    ガイド用部材
３１    ロープ、レール
【図１】
0003234618.tif 000003
【図２】
0003234618.tif 000004
【手続補正書】
【提出日】令和3年7月19日(2021.7.19)
【手続補正１】
【補正対象書類名】実用新案登録請求の範囲
【補正対象項目名】請求項３
【補正方法】変更
【補正の内容】
【請求項３】
請求項２において、前記シェルター本体の外面部に本体吊り上げ／吊り下げ用のリング状部材が複数個取り付けられており、このリング状部材が前記上下動ガイド用部材を兼ねていることを特徴とする屋内設置型木質系浮遊式シェルター。